(57)【要約】【課題】  本発明はリモコン等によりファクシミリと電話の切り換えが可能な複合機に関し、特に同一回線上の電話と複合機が離れた場所に設置されている場合でも、容易にファクシミリへの切り替えを可能にする複合機を提供することである。【解決手段】  本発明はトーンリンガ検出回路１８がリンガパルスを検出すると、無線検出ユニット１３はリモコン４から送信信号が出力されたかを検出し、予め設定された所定時間内にリモコン４からの送信信号が受信されると、回線切り替え回路２０を切り替え、以後複合機１をファクシミリ受信状態に設定する。このように構成することにより、例えば離れた位置に設置された電話機と複合機であっても、複合機１を容易にファクシミリ受信機能に移行させることができる。【選択図】  図３
2006279562.tif 000002
【特許請求の範囲】
【請求項１】
少なくともファクシミリ機能を有する複合機であって、電話機と同一回線上に接続された複合機において、
リンガパルスを検出するトーンリンガ検出手段と、
該トーンリンガ検出手段が前記リンガパルスを検出した後、前記電話機へのポーリング音に対応して操作されるリモコンから送信信号を検知する検知手段と、
該検知手段が前記リモコンからの送信信号を検知した時、前記複合機をファクシミリ受信に切り替える受信切替手段と、
を有することを特徴とする複合機。
【請求項２】
少なくともファクシミリ機能を有する複合機であって、電話機と同一回線上に接続された複合機において、
リンガパルスを検出するトーンリンガ検出手段と、
該トーンリンガ検出手段が前記リンガパルスを検出した後、前記電話機へのポーリング音に対応して操作されるダイヤルトーンの検知を行うダイヤルトーン検知手段と、
該検知手段が前記ダイヤルトーンを検知した時、ファクシミリ受信に切り替える受信切替手段と、
を有することを特徴とする複合機。
【請求項３】
少なくともファクシミリ機能を有する複合機であって、電話機と同一回線上に接続された複合機において、
リンガパルスを検出するトーンリンガ検出手段と、
該トーンリンガ検出手段が前記リンガパルスを検出した後、前記電話機へのポーリング音に対応してハンドセットをセットした後のポーリング音の検知を行うポーリング音検知手段と、
該検知手段が前記ポーリング音を検知した時、ファクシミリ受信に切り替える受信切替手段と、
を有することを特徴とする複合機。
【請求項４】
前記検知手段が、対応する信号を検知する時間は、予め設定された所定時間内であることを特徴とする請求項１、２、又は３記載の複合機。
【発明の詳細な説明】
【技術分野】
【０００１】
本発明は少なくともファクシミリ機能を有する複合機であり、例えば印刷機能を主とする多機能印刷装置（ＭＦＰ（マルチファンクションプリンタ））などであり、リモコン操作等により、機能をファクシミリ受信に切り替え可能な複合機に関する。
【背景技術】
【０００２】
従来のファクシミリ装置では、ファクシミリ機能部と受話器が離れた場所に設置される場合があり、不便であった。そこで、今日電話機付きファクシミリにおいてリモート動作を行う目的で、家庭用リモコンによってスピーカーフォンをオフフックできるようにしている。
【０００３】
例えば、特許文献１には電話付きファクシミリ装置において、家庭用リモコンによる遠隔操作によりファクシミリ装置から離れた場所においてスピーカフォンをオフフックさせることにより、ファクシミリ本体に接触することなく通話を行う発明が開示されている。また、特許文献２には携帯電話機を用いて家電機器等の予約操作を可能とする発明が開示されている。
【特許文献１】特開平０７−１４３３２２号公報
【特許文献２】特開平１１−２８４７５７号公報
【発明の開示】
【発明が解決しようとする課題】
【０００４】
しかしながら、通常家庭回線は１回線であり、例えば１回線の回線を１階と２階にパラレルで引いている。この場合、１階と２階に電話機が設置されることになり、例えばパソコンに接続してプリンタ機能を使うようにするため、どうしても２階にパソコンがある場合、ハンドセットがない複合機を２階に設置し、通常使用する電話機は１階に設置する。
【０００５】
このような状態でファクシミリ受信があると、スピーカーフォンをオフフックすることができず、１階の電話にでたユーザは、わざわざ２階まで行き、複合機の受信ボタンを押し、ファクシミリに切り替える必要がある。
【０００６】
そこで、本発明は同一回線上の電話と複合機が離れた場所に設置されている場合でも、電話にでたユーザがファクシミリに気づき、リモコン等を使用して離れた場所にある複合機を自動的にファクシミリ受信状態にする複合機を提供することである。
【課題を解決するための手段】
【０００７】
上記課題は本発明によれば、少なくともファクシミリ機能を有する複合機であって、電話機と同一回線上に接続された複合機において、リンガパルスを検出するトーンリンガ検出手段と、該トーンリンガ検出手段が前記リンガパルスを検出した後、前記電話機へのポーリング音に対応して操作されるリモコンから送信信号を検知する検知手段と、該検知手段が前記リモコンからの送信信号を検知した時、前記複合機をファクシミリ受信に切り替える受信切替手段とを有する複合機を提供することによって達成できる。
【０００８】
このように構成することにより、例えば電話機が複合機から遠く離れた場所に設置されている場合でも、ユーザがポーリング音を聞くと、リモコンを操作し、ファクシミリへの切り替えを指示することによって、容易に複合機をファクシミリ機能に切り替えることができる。
【０００９】
また、上記課題は本発明によれば、少なくともファクシミリ機能を有する複合機であって、電話機と同一回線上に接続された複合機において、前記複合機はリンガパルスを検出するトーンリンガ検出手段と、該トーンリンガ検出手段が前記リンガパルスを検出した後、前記電話機へのポーリング音に対応して操作されるダイヤルトーンの検知を行うダイヤルトーン検知手段と、該検知手段が前記ダイヤルトーンを検知した時、ファクシミリ受信に切り替える受信切替手段とを有する複合機を提供することによって達成できる。
【００１０】
このように構成することにより、例えば電話機が複合機から遠く離れた場所に設置されている場合でも、ポーリング音を聞くと、電話機を操作し、予め設定されたダイヤルトーンを入力することにより、ファクシミリへの切り替えを指示することによって、容易に複合機をファクシミリ機能に切り替えることができる。
【００１１】
また、上記課題は本発明によれば、少なくともファクシミリ機能を有する複合機であって、電話機と同一回線上に接続された複合機において、前記複合機はリンガパルスを検出するトーンリンガ検出手段と、該トーンリンガ検出手段が前記リンガパルスを検出した後、前記電話機へのポーリング音に対応してハンドセットをセットした後のポーリング音の検知を行うポーリング音検知手段と、該検知手段が前記ダイヤルトーンを検知した時、ファクシミリ受信に切り替える受信切替手段とを有する複合機を提供することによって達成できる。
【００１２】
このように構成することによっても、例えば電話機が複合機から遠く離れた場所に設置されている場合でも、ポーリング音を聞くと、ハンドセットを置くことにより、ポーリング音を複合機に送り、ファクシミリへの切り替えを指示することができる。
【発明の効果】
【００１３】
本発明によれば、離れた場所に複合機と電話機が設置された場合でも、リモコンを使用することにより、簡単な操作でファクシミリ受信への切り替えが可能となる。
また、予め設定されたリンガーパルス後のダイヤルトーンの送信を行うことによって、ファクシミリ受信への切り替えが可能となり、リモコンを使用しなくてもファクシミリ受信への切り替えが可能となる。
【００１４】
さらに、電話機のハンドセットを電話機に置くだけで、自動的にファクシミリ受信への切り替えが可能となり、極めて利便性のよいファクシミリ切換システムを提供することができる。
【発明を実施するための最良の形態】
【００１５】
以下、本発明の実施の形態を図面を参照しながら説明する。
（実施形態１）
図１は、本実施形態の複合機と同一回線上に設置された電話機を含むシステム構成図である。
【００１６】
同図において、本システムは複合機（例えば、多機能印刷装置（ＭＦＰ））１、パーソナルコンピュータ（ＰＣ）２、電話機３、及び受信専用リモコン（以下、単にリモコンで示す）４で構成されている。また、複合機１とパーソナルコンピュータ（ＰＣ）２は、例えば２階に設置され、電話機３と受信専用リモコン４は１階に置かれている。また、外部から引き込まれた電話回線５は、複合機１の後述する端子ＲＪ１１に入力した後、内部の回線切り替え回路によって分岐され、回線６を介して電話機３に接続されている。
【００１７】
図２は上記複合機１の構成を示す図である。複合機１はスキャナーユニット８、スキャナー制御ボード９、ＭＦＰコントロールボード１０、プリンタ制御部１１、ＮＣＵ（ネットワークコントロールユニット）１２で構成されている。また、ＭＦＰコントロールボード１０には、前述のリモコン４から送信された信号を受信する無線検出ユニット１３が設置されている。また、タイマ１４も設けられている。
【００１８】
スキャナーユニット８は、スキャナー制御ボード９の制御によって原稿台に載置された原稿画像を読み取り、ＭＦＰコントロールボード１０に原稿画像を出力する。プリンタ制御部１１は、例えば上記原稿画像をＭＦＰコントロールボード１０から受け取り、用紙への印刷処理を行う。また、複合機１にはＬＡＮ、及びＵＳＢへの接続ユニット１５、及び１６が設けられ、前述のパーソナルコンピュータ（ＰＣ）２に接続されている。
【００１９】
ＮＣＵ１２は、ＭＦＰコントロールボード１０に接続され、図３に示す回路構成である。すなわち、トーンリンガ検出回路１８、ＤＴＭＦ(dual tone multiplexed frequency）検出回路１９、回線切り替え回路２０、モデム制御回路２１で構成されている。
【００２０】
前述の電話回線５は端子ＲＪ１１に接続され、回線切り替え回路２０を介して端子ＲＪ１２に接続されている。この端子ＲＪ１２には前述のように回線６が接続され、電話機３に接続されている。尚、上記回線切り替え回路２０は、通常端子ＲＪ１１とＲＪ１２を接続する状態に設定されている。
【００２１】
また、ＭＦＰコントロールボード１０とＮＣＵ１２は同図に示す接続構成であり、ＭＦＰコントロールボード１０と上記ＮＣＵ１２内の各回路１８〜２１がそれぞれ接続されている。また、トーンリンガ検出回路１８とＤＴＭＦ検出回路１９、及び回線切り替え回路２０とモデム制御回路２１もそれぞれ接続されている。
【００２２】
次に、上記構成において、以下の本例の処理動作を説明する。
図４は本例の処理動作を説明するフローチャートである。先ず、トーンリンガ検出回路１８は、電話回線５、端子ＲＪ１１を介して入力するリンガパルスを検出したか判断する（ステップ（以下、Ｓで示す）１）。前述のように、トーンリンガ検出回路１８には端子ＲＪ１１が接続されており、リンガパルスが入力すると（Ｓ１がＹＥＳ）、トーンリンガ検出回路１８からＭＦＰコントロールボード１０にリンガパルスの入力が通知され、ＭＦＰコントロールボード１０はタイマ１４の計数をスタートする（Ｓ２）。
【００２３】
前述のように、通常回線切り替え回路２０は端子ＲＪ１１とＲＪ１２を接続した状態であり、上記リンガパルスは回線６を介して電話機３にも呼出音を出力する。この呼出音により、ユーザは電話が掛かってきたことを知り、１階の電話機４のハンドセットをあげる。この時、ファクシミリであるとポーリング音が聞こえ、ユーザはファクシミリを受信するため、リモコン４を操作する。
【００２４】
この操作により、リモコン４から前述のＭＦＰコントロールボード１０内の無線検出ユニット１３に信号が送られる。ＭＦＰコントロールボード１０では、上記タイマの計数開始時から設定時間内に、リモコン４からの信号を受信したか判断する（Ｓ３、Ｓ４）。
【００２５】
ここで、設定時間内に上記信号を受信すると（Ｓ３がＮＯ、Ｓ４がＹＥＳ）、ファクシミリ受信を開始する（Ｓ５）。すなわち、上記リモコン４からの信号を受信すると、ＭＦＰコントロールボード１０は回線切り替え回路２０に対して切り換え信号を送り、電話機３との回線（回線６）を切断すると共に、電話回線５から入力するファクシミリ信号を回線切り替え回路２０を介してモデム制御回路２１に供給し、ＭＦＰコントロールボード１０の制御によってファクシミリデータをプリンタ制御部１１に送り、印刷出力する。
【００２６】
尚、設定時間内にリモコン４から信号が送られてこない場合、リンガパルスの受信を判断する処理に戻る（Ｓ３がＹＥＳ、Ｓ１）。
その後、ファクシミリ受信が完了すると処理を終了する（Ｓ６）。この場合、回線切り替え回路２０を元の状態に戻し、新たなリンガパルスの入力を待つ。
【００２７】
以上のように、本例によれば、１階と２階というように、離れた場所に複合機１と電話機３が設置された場合でも、リモコン４を使用することにより、簡単な操作で複合機１をファクシミリ受信機能に切り替えることができる。
（実施形態２）
次に、本発明の実施形態２について説明する。
【００２８】
前述の実施形態１では、ファクシミリの受信にリモコン４を使用したが、本例ではこのリモコンを使用することなく、上記処理を電話機３によって行う構成である。以下、具体的に説明する。
【００２９】
図５は本例のＮＣＵ１２の構成を示す回路図である。本例においては、リモコン４に代えてユーザの操作に基づくダイヤルトーン（ＤＴＭＦ）の検出を行い、当該検出結果に基づいて回線切り替え回路２０を切り換える為、前述の実施形態１の回路（図３）に比べ、トーンリンガ検出回路１８と回線切り替え回路２０が接続され、更にＤＴＭＦ検出回路１９と回線切り替え回路２０が接続されている点が異なる。尚、複合機１の全体構成は前述の図２と同じである。
【００３０】
図６は本例の処理動作を説明するフローチャートである。
本例においても、先ずトーンリンガ検出回路１８がリンガパルスの入力を検出するか判断する（ステップ（以下、ＳＴで示す）１）。本例においては、リモコン４の操作信号の検出に代えてダイヤルトーン（ＤＴＭＦ）の検出を行う構成であり、リンガパルスが入力すると（ＳＴ１がＹＥＳ）、１秒以内のパルスであるか判断した後（ＳＴ２がＹＥＳ）、直ちに回線リレーをオンし（ＳＴ３）、ダイヤルトーン（ＤＴＭＦ）の入力を待つ。
【００３１】
すなわち、上記回線リレーをオンすることによって、トーンリンガ検出回路１８からＤＴＭＦ検出回路１９に検出信号が出力され、ＤＴＭＦ検出回路１９は回線切り替え回路２０を介して電話機３からダイヤルトーン（ＤＴＭＦ）が入力するのを待つ。尚、１秒以内のリンガーパルスでない場合（ＳＴ２がＮＯ）、更にリンガーパルスに１秒以上のパルスが含まれていないことを確認し（ＳＴ４）、上記と同様、回線リレーをオンし、ダイヤルトーン（ＤＴＭＦ）の入力を待つ（ＳＴ４がＹＥＳ、ＳＴ３）。
【００３２】
次に、回線トーンを検出するか判断し（ＳＴ５）、回線トーンを検出すればファクシミリではないと判断し、回線リレーをオフする（ＳＴ５がＹＥＳ、ＳＴ１１）。一方、回線トーンを検出しない場合（ＳＴ５がＮＯ）、ＭＦＰコントロールボード１０はタイマ１４の計数をスタートする（ＳＴ６）。
【００３３】
この時、１階に設置された電話機３の呼出も行われ、前述のようにユーザはハンドセットをあげ、相手先からファクシミリのポーリング音が聞こえた場合、電話のダイヤルを操作する。例えば、予め設定されたリンガーパルス後のＤＴＭＦコードの設定において”０”とか”１”、或いは”１２３”などの登録された番号を入力する。
【００３４】
複合機１側では、上記タイマの計数開始時から設定時間内に、ＤＴＭＦ検出回路１９がダイヤルトーンを検出するか判断する（ＳＴ７）。すなわち、前述のように回線切り替え回路２０とＤＴＭＦ検出回路１９は接続されており、設定時間内に上記信号を入力すると（ＳＴ７がＮＯ、ＳＴ８がＹＥＳ）、上記ダイヤルトーン（ＤＴＭＦ）は、回線切り替え回路２０からＤＴＭＦ検出回路１９に入力し、ＤＴＭＦ検出回路１９はダイヤルトーン（ＤＴＭＦ）を検出する。この検出は、ＤＴＭＦ検出回路１９からＭＦＰコントロールボード１０に通知され、以後回線切り替え回路２０、モデム制御回路２１を介してファクシミリ受信を開始する（ＳＴ９）。すなわち、１階に設置された電話機３の操作により出力されたＤＴＭＦコード（例えば、”０”とか”１”、或いは”１２３”などの登録された番号）を検出すると、１階のユーザからファクシミリ受信の指示があったものと判断し、ファクシミリ受信を開始する。
【００３５】
その後、ファクシミリ受信が完了すると処理を終了し（Ｔ１０）、回線リレーをオフする（ＳＴ１１）。
以上のように、本例によっても、離れた場所に複合機１と電話機３が設置された場合、電話機３を操作し、予め設定されたリンガーパルス後のＤＴＭＦコードの送信を行うことによって、ファクシミリ受信への切り替えが可能となる。
【００３６】
また、本例によれば前述の実施形態１で使用したリモコンを使用する必要がなく、付属品を減らすことができる。
（実施形態３）
次に、本発明の実施形態３について説明する。
【００３７】
前述の実施形態２では、自動受信方法としてダイヤルトーン（ＤＴＭＦ）を、ユーザの操作により利用してファクシミリへの切り替えを行う構成としたが、本例では電話機３のハンドセットをあげ、ファックス送信のポーリング音を確認した後、ハンドセットをおくだけでファクシミリへの切り替え指示を行う構成である。尚、本例においても、ＮＣＵ１２として前述の図５に示す回路が使用される。以下、具体的に説明する。
【００３８】
図７は本例の処理動作を説明するフローチャートである。本例においても、先ずトーンリンガ検出回路１８が、リンガパルスの入力を検出するか判断する（ステップ（以下、ＳＴＰで示す）１）。すなわち、リンガパルスが１秒以内のパルスであるか判断し、１秒以内のパルスであれば回線リレーをオンする（ＳＴＰ２がＹＥＳ、ＳＴＰ３）。尚、リンガパルスに１秒以上のパルスが含まれていない場合も回線リレーをオンする（ＳＴＰ２がＮＯ、ＳＴＰ４がＹＥＳ、ＳＴＰ３）。
【００３９】
次に、回線トーンを検出するか判断し（ＳＴＰ５）、回線トーンを検出すればファクシミリではないと判断し、回線リレーをオフする（ＳＴＰ５がＹＥＳ、ＳＴＰ１１）。一方、回線トーンを検出しない場合（ＳＴＰ５がＮＯ）、前述のようにＭＦＰコントロールボード１０はタイマ１４の計数を開始する（ＳＴＰ６）。
【００４０】
この時、１階に設置された電話機３の称呼も行われ、前述のようにユーザはハンドセットをあげ、相手先からファクシミリのポーリング音が聞こえた場合、ファクシミリであると判断し、ハンドセットをおくと自動的に受信モードに切り替える。すなわち、同一回線上で電話機３側でハンドセットを置くと、ポーリング音が複合機１側に送り続けられる。
【００４１】
複合機１側では、上記タイマの計数開始時から設定時間内に、トーンリンガ検出回路１８がポーリング音を検出するか判断し（ＳＴＰ７、ＳＴＰ８）、設定時間内に上記信号を検出すると（ＳＴＰ７がＹＥＳ、ＳＴＰ８がＹＥＳ）、ファクシミリ受信を開始する（ＳＴＰ９）。その後、ファクシミリ受信が完了すると前述同様、ファクシミリ処理を終了し（ＳＴＰ１０）、回線リレーをオフする（ＳＴＰ１１）。
【００４２】
以上のように、本例によっても、離れた場所に複合機１と電話機３が設置された場合、電話機３のハンドセットを操作し、自動的にファクシミリ受信への切り替えが可能となる。
【００４３】
また、本例によれば前述の実施形態１で使用したリモコンを使用する必要がなく、付属品を減らすことができる。
【図面の簡単な説明】
【００４４】
【図１】本実施形態のファクシミリ切換システムのシステム構成図である。
【図２】複合機の構成を示す図である。
【図３】実施形態１のＮＣＵの回路図である。
【図４】実施形態１の処理動作を説明するフローチャートである。
【図５】実施形態２のＮＣＵの回路図である。
【図６】実施形態２の処理動作を説明するフローチャートである。
【図７】実施形態３の処理動作を説明するフローチャートである。
【符号の説明】
【００４５】
１・・・複合機
２・・・パーソナルコンピュータ（ＰＣ）
３・・・電話機
４・・・受信専用リモコン
５・・・電話回線
６・・・回線
８・・・スキャナーユニット
９・・・スキャナー制御ボード
１０・・・ＭＦＰコントロールボード
１１・・・プリンタ制御部
１２・・・ＮＣＵ
１３・・・無線検出ユニット
１４・・・タイマ
１５、１６・・・接続ユニット
１８・・・トーンリンガ検出回路
１９・・・ＤＴＭＦ検出回路
２０・・・回線切り替え回路
２１・・・モデム制御回路
【図２】
2006279562.tif 000003
【図３】
2006279562.tif 000004
【図４】
2006279562.tif 000005
【図５】
2006279562.tif 000006
【図６】
2006279562.tif 000007
【図７】
2006279562.tif 000008
【図１】
2006279562.tif 000009